(57)【特許請求の範囲】
【請求項１】
見守り対象者毎に当該見守り対象者の識別情報及び見守り対象者個人の特徴を示す対象者登録情報、見守り者毎に当該見守り者の連絡先及び見守り者端末が設定される位置情報を示す見守り者登録情報、並びに、見守り対象者の探索の協力者毎に当該協力者の住所情報及び協力者が携帯する協力者端末の連絡先を示す協力者登録情報を記憶するデータ記憶部と、
識別情報を示す無線信号を発信する発信装置が装着された見守り対象者を見守る見守り者端末から、見守り対象者の識別情報を含む探索依頼を受信する探索依頼受信部と、
前記見守り者端末から、前記見守り対象者の情報の公開を許諾する範囲を複数段階で示すレベルから前記見守り者により選択された許諾レベルを受信する許諾レベル取得部と、
前記見守り者登録情報をもとに前記探索依頼を送信した見守り者端末の位置情報から探索範囲を特定する探索範囲特定部と、
前記協力者登録情報をもとに前記探索範囲内に位置する協力者端末を抽出する協力者抽出部と、
前記探索依頼に係る見守り対象者の前記対象者登録情報から前記許諾レベルに対応する範囲の情報を抽出して対象者情報を生成する対象者情報取得部と、
抽出した前記協力者端末各々へ、前記探索依頼に係る識別情報及び前記対象者情報を送信する対象者情報送信部と、
抽出した前記協力者端末各々の現在位置情報を取得する協力者端末位置情報取得部と、
抽出した前記協力者端末から、前記探索依頼に係る見守り対象者の保護通知を受信し、前記保護通知及び前記保護通知を送信した協力者端末の現在位置情報を、前記見守り者の連絡先へ送信する探索依頼解除送信部とを備える
ことを特徴とする見守り管理装置。
【請求項２】
前記対象者情報取得部は、前記対象者登録情報から許諾レベルが示す範囲より狭い範囲の情報を抽出して小範囲対象者情報を生成し、
前記対象者情報送信部は、抽出した前記協力者端末各々へ前記対象者情報の代わりに前記小範囲対象者情報を送信し、前記探索依頼に係る識別情報を送信した前記協力者端末に対してのみ前記対象者情報を送信する
ことを特徴とする請求項１に記載の見守り管理装置。
【請求項３】
前記対象者情報送信部は、抽出した前記協力者端末各々へ前記探索依頼に係る識別情報及び前記対象者情報を送信する代わりに前記探索依頼に係る識別情報のみを送信し、前記探索依頼に係る識別情報を送信した前記協力者端末に対してのみ前記対象者情報を送信する
ことを特徴とする請求項１に記載の見守り管理装置。
【請求項４】
コンピュータに、
見守り対象者毎に当該見守り対象者の識別情報及び見守り対象者個人の特徴を示す対象者登録情報、見守り者毎に当該見守り者の連絡先及び見守り者端末が設置される位置情報を示す見守り者登録情報、並びに、見守り対象者の探索の協力者毎に当該協力者の住所情報及び携帯する協力者端末の連絡先を示す協力者登録情報を記憶するデータ記憶部にアクセスし、
識別情報を示す無線信号を発信する発信装置が装着された見守り対象者を見守る見守り者端末から、見守り対象者の識別情報を含む探索依頼を受信し、
前記見守り者端末から、前記見守り対象者の情報の公開を許諾する範囲を複数段階で示すレベルから前記見守り者により選択された許諾レベルを受信し、
前記見守り者登録情報をもとに前記探索依頼を送信した見守り者端末の位置情報から探索範囲を特定し、
前記協力者登録情報をもとに前記探索範囲内に位置する協力者端末を抽出し、
前記探索依頼に係る見守り対象者の前記対象者登録情報から前記許諾レベルに対応する範囲の情報を抽出して対象者情報を生成し、
抽出した前記協力者端末各々へ、前記探索依頼に係る識別情報及び前記対象者情報を送信し、
抽出した前記協力者端末各々の現在位置情報を取得し、
抽出した前記協力者端末から、前記探索依頼に係る見守り対象者の保護通知を受信し、
前記保護通知及び前記保護通知を送信した協力者端末の現在位置情報を前記見守り者の連絡先へ送信する、処理を実行させるための
見守り管理プログラム。
【請求項５】
発信装置、見守り者端末、前記見守り者端末と接続する見守り管理装置、及び前記見守り管理装置と接続する協力者端末を有する見守りシステムであって、
前記発信装置は、
見守り対象者に１つが装着され、当該見守り対象者の識別情報を示す無線信号を発信する信号発信部を備え、
前記見守り者端末は、
前記発信装置の無線信号を受信する信号検出部と、
所定の間に受信しなかった無線信号が示す識別情報に係る見守り対象者を不在と判定する不在判定部と、
前記不在が判定された場合に警報を出力する警報出力部と、
前記不在と判定された見守り対象者の探索を依頼し当該見守り対象者の識別情報を含む探索依頼を前記見守り管理装置へ送信する探索依頼通知部と、
前記見守り対象者の情の公開を許諾する範囲を複数段階で示すレベルから前記見守り者により選択された許諾レベルを前記見守り管理装置へ送信する許諾レベル通知部とを備え、
前記見守り管理装置は、
見守り対象者毎に当該見守り対象者の識別情報及び個人の特徴を示す対象者登録情報、見守り者毎に当該見守り者の連絡先及び見守り者端末が設置される位置情報を示す見守り者登録情報、並びに、見守り対象者の探索の協力者毎に当該協力者の住所情報及び携帯する協力者端末の連絡先を示す協力者登録情報を記憶するデータ記憶部と、
前記見守り者端末から前記探索依頼を受信する探索依頼受信部と、
前記見守り者端末から前記許諾レベルを受信する許諾レベル取得部と、
前記見守り者登録情報をもとに前記探索依頼を送信した見守り者端末の位置情報から探索範囲を特定する探索範囲特定部と、
前記協力者登録情報をもとに前記探索範囲内に位置する協力者端末を抽出する協力者抽出部と、
前記探索依頼に係る見守り対象者の前記対象者登録情報から前記許諾レベルに対応する範囲の情報を抽出して対象者情報を生成する対象者情報取得部と、
抽出した前記協力者端末各々へ、前記探索依頼に係る見守り対象者の識別情報及び前記対象者情報を送信する対象者情報送信部と、
抽出した前記協力者端末各々の現在位置情報を取得する協力者端末位置情報取得部と、
抽出した前記協力者端末から、前記探索依頼に係る見守り対象者の保護通知を受信し、前記保護通知及び前記保護通知を送信した協力者端末の現在位置情報を、前記見守り者の連絡先へ送信する探索依頼解除送信部とを備え、
前記協力者端末は、
前記見守り管理装置から前記探索依頼に係る識別情報及び前記対象者情報を受信する対象者情報受信部と、
自端末の現在位置情報を前記見守り管理装置へ送信する端末位置情報送信部と、
前記発信装置の無線信号を受信する信号検出部と、
受信した前記無線信号が前記探索依頼に係る識別情報である場合に受信した無線信号の識別情報を前記見守り管理装置へ送信する検出情報送信部と、
前記探索依頼に係る見守り対象者の保護通知を前記見守り管理装置へ送信する保護通知部とを備える
ことを特徴とする見守りシステム。
【発明の詳細な説明】
【技術分野】
【０００１】
本発明は、徘徊癖のある高齢者や子供などを見守り、見守りの対象者の探索が必要になった場合に迅速に保護するための見守り管理装置及びプログラム並びに見守りシステムに関する。
【背景技術】
【０００２】
近年では、高齢者の徘徊や子供等の連れ去りなどが社会問題化しており、彼らを見守り、いったん探索する必要が生じたら早急に発見、保護することが強く望まれている。
【０００３】
従来、探索対象者の所在を確認するため、ＧＰＳ（Ｇｌｏｂａｌ  Ｐｏｓｉｔｉｏｎｉｎｇ  Ｓｙｓｔｅｍ：グローバル・ポジショニング・システム）を利用して探索対象者の現在位置を特定し、関係先へ通知するシステムが知られている。例えば、徘徊高齢者を探索するために、徘徊高齢者が自宅の位置から一定の距離以上離れた場合に、高齢者が携帯している老人用端末の送信機が自動的に起動して、ＧＰＳを利用して得た位置情報を介護者（探索者）に送信する徘徊予防装置が知られている（例えば、特許文献１参照）。
【先行技術文献】
【特許文献】
【０００４】
【特許文献１】特開２００４−３５７２６８号公報
【発明の概要】
【発明が解決しようとする課題】
【０００５】
しかし、上記の従来手法では、以下のような問題がある。
【０００６】
（１）ＧＰＳは、屋内での位置感知精度が低く、例えば高齢者が自宅や介護施設などの建物から外へ出た状態となって初めて位置を認識するのに有用となる。上記の従来手法では、徘徊中の高齢者が一定の距離を離れるまで徘徊を認識することができない。そのため、介護者は、高齢者が屋外へ出たことに気付きにくく、徘徊の発生から高齢者の位置情報が送信されるまでの間に、高齢者に対するリスクが大幅に増大してしまうという問題がある。
【０００７】
（２）  上記の従来手法では、徘徊の発生を即時に検出することができない。そのため、徘徊癖のある高齢者を見守る家族や訪問介護者などは、いつ発生するかわからない徘徊に対して四六時中注意していなければならず、肉体的にも精神的にも負担が大きいという問題がある。
【０００８】
（３）  上記の従来手法では、位置情報を送信された介護者が高齢者を探すことを前提としている。しかし、徘徊中の高齢者に対するリスクを増大させないように、発生からできる限り早急に高齢者を発見する必要がある。そのためには、高齢者の家族や介護者だけでなく、例えば近所の人達や有志の協力者の助けを借りて高齢者を探すことが望ましい。その一方で、高齢者をよく知らない人達に探索を依頼するには、高齢者を特定するための個人情報をある程度公開しなければならない。そこで、個人情報の保護に配慮しつつ高齢者を早期に発見できる探索を支援する仕組みが必要である。
【０００９】
本発明の目的は、高齢者や子供などの探索対象者を見守るために、探索対象者の不在を検出した直後から警報を発し、探索が必要になった場合には、許諾された範囲内の見守り対象者の個人情報を適切に利用して迅速に発見することを支援する見守り管理装置、プログラム、及び見守りシステムを提供することである。
【課題を解決するための手段】
【００１０】
本発明の一態様として開示する見守りシステムは、発信装置、見守り者端末、見守り者端末と接続する見守り管理装置、及び見守り管理装置と接続する協力者端末を有する。
【００１１】
発信装置は、見守り対象者に１つが装着され、見守り対象者の識別情報を示す無線信号を発信する。
【００１２】
見守り者端末は、発信装置の無線信号を受信する信号検出部、所定の間に受信しなかった無線信号が示す識別情報に係る見守り対象者を不在と判定する不在判定部、見守り対象者の不在が判定された場合に警報を出力する警報出力部、不在と判定された見守り対象者の識別情報を含む探索依頼を見守り管理装置へ送信する探索依頼通知部、見守り対象者の対象者登録情報の公開を許諾する範囲を複数段階で示すレベルから見守り者により選択された許諾レベルを見守り管理装置へ送信する許諾レベル通知部を備える。
【００１３】
見守り管理装置は、見守り対象者毎に見守り対象者の識別情報及び見守り対象者個人の特徴を示す対象者登録情報、見守り者毎に見守り者の連絡先及び見守り者端末が設定される位置情報を示す見守り者登録情報、並びに、見守り対象者の探索の協力者毎に協力者の住所情報及び協力者が携帯する協力者端末の連絡先を示す協力者登録情報を記憶するデータ記憶部を備える。
【００１４】
さらに、見守り管理装置は、見守り者端末から探索依頼を受信する探索依頼受信部、見守り者端末から許諾レベルを受信する許諾レベル取得部、見守り者登録情報をもとに探索依頼を送信した見守り者端末の位置情報から探索範囲を特定する探索範囲特定部、協力者登録情報をもとに探索範囲内に位置する協力者端末を抽出する協力者抽出部、探索依頼に係る見守り対象者の対象者登録情報から許諾レベルに対応する範囲の情報を抽出して対象者情報を生成する対象者情報取得部、抽出した協力者端末各々へ探索依頼に係る見守り対象者の識別情報及び対象者情報を送信する対象者情報送信部、抽出した協力者端末各々の現在位置情報を取得する協力者端末位置情報取得部、及び、抽出した協力者端末から探索依頼に係る見守り対象者の保護通知を受信し、保護通知及び前記保護通知を送信した協力者端末の現在位置情報を見守り者の連絡先へ送信する探索依頼解除送信部を備える。
【００１５】
協力者端末は、見守り管理装置から探索依頼に係る識別情報及び対象者情報を受信する対象者情報受信部、自端末の現在位置情報を見守り管理装置へ送信する端末位置情報送信部、発信装置の無線信号を受信する信号検出部、受信した無線信号が探索依頼に係る識別情報である場合に受信した無線信号の識別情報を見守り管理装置へ送信する検出情報送信部、及び、探索依頼に係る見守り対象者の保護通知を見守り管理装置へ送信する保護通知部を備える。
【発明の効果】
【００１６】
本発明によれば、高齢者や子供などの見守り対象者が屋内の居るべき場所で不在となった場合に直ちに警報を出して見守り者へ通知することができ、見守り者が見守り対象者を発見するまでの時間を短縮し、見守り対象者に対するリスクを大幅に軽減することができる。
【００１７】
さらに、高齢者の徘徊の発生や子供の連れ去りなどの発生が警報によって即時に認知できるため、常時見守り対象者を注意してなければならないという見守り者の負担を大幅に軽減させることができる。
【００１８】
さらに、見守り対象者の探索が必要となった場合に、予め登録されている協力者に対し、許諾された範囲内の見守り対象者の情報を公開して探索を依頼することできるため、見守り対象者を家族や介護者だけで探索する場合に比べて、見守り者を発見する機会も増加することが予想され、見守り対象者の早期発見が可能となる。
【００１９】
さらに、許諾された範囲内で見守り対象者の個人情報が公開されるので、見守り対象者の個人情報の保護を適切に図ることができる。
【図面の簡単な説明】
【００２０】
【図１】本発明の見守りシステムの一実施例におけるシステム構成例を示す図である。
【図２】見守りシステムを構成する各装置の処理ブロック構成例を示す図（１）である。
【図３】見守りシステムを構成する各装置の処理ブロック構成例を示す図（２）である。
【図４】見守りシステムで用いる情報のデータ例を示す図（１）である。
【図５】見守りシステムで用いる情報のデータ例を示す図（２）である。
【図６】見守り者端末における処理フローを示す図である。
【図７】見守り管理装置における探索依頼受信時の処理フローを示す図である。
【図８】見守り管理装置における協力者による探索時の処理フローを示す図である。
【図９】見守り管理装置における探索解除時の処理フローを示す図である。
【図１０】協力者端末における処理フローを示す図である。
【図１１】見守りシステムを構成する各装置のハードウェア構成例を示す図である。
【発明を実施するための形態】
【００２１】
以下、本発明の一形態として開示する見守りシステムを、徘徊癖のある高齢者の見守りに適用する場合の例で説明する。
【００２２】
図１は、本発明の見守りシステムの一実施例におけるシステム構成例を示す図である。
【００２３】
見守りシステムは、見守り管理装置（以下「サーバ」という）１、見守り者端末３、発信装置５、信号検出装置７及び協力者端末８を備える。
【００２４】
見守り管理装置（サーバ）１は、ネットワークＮで接続する見守り者端末３から受信した見守り対象者の探索依頼をもとに、予め登録された協力者から抽出した協力者端末８へ、見守り者が許諾した範囲内で見守り対象者の情報を公開して探索を依頼し、協力者を含めた見守り対象者の探索を管理する処理装置である。
【００２５】
見守り者端末３は、所定の範囲（８〜１０メートル程度）内の信号を検出する機能を有し、見守り対象者各々が装着している発信装置５から発信される見守り対象者の識別情報を示す無線信号を受信して見守り対象者を見守る。そして、所定の間に無線信号が未受信となった場合に該当する見守り対象者の不在と判定して警報を出力し、見守り者の操作により入力された探索依頼をサーバ１へ送信する。
【００２６】
見守り者端末３は、対応する見守り対象者が生活する空間を信号が受信できる範囲でカバーする場所に設置される。
【００２７】
なお、見守り者端末３は、発信装置５の無線信号を受信した場合に警報を出力するように設定することもできる。例えば、介護施設の出入り口や危険な箇所など見守り対象者を遠ざけたい場所に見守り者端末３を設置し、見守り対象者が近づいた際に信号を受信して警報を出力し、見守り者へ知らせることができる。
【００２８】
発信装置５は、見守り対象者をシステム１内で一意に特定する識別情報を示す無線信号を発信する装置である。見守り対象者は、紐付けられた識別情報が設定された１つの発信装置５を装着する。
【００２９】
信号検出装置７は、所定の範囲（８〜１０メートル程度）内にある発信装置５が発信する無線信号を自動的に受信し、受信した無線信号が示す識別情報をネットワークＮを介してサーバ１へ送信する処理装置である。信号検出装置７は、町中の任意の場所、例えば、店舗、自動販売機などに設置される。
【００３０】
協力者端末８は、見守り対象者を探索する協力者として予め登録された者が携帯する情報処理装置である。協力者端末８は、所定の範囲（８〜１０メートル程度）内の信号を受信する機能を有し、サーバ１から送信された探索依頼されている見守り対象者の発信装置５の無線信号（識別情報）を受信してサーバ１へ送信し、サーバ１から送信された公開が許諾された範囲内の見守り対象者の情報を表示する処理装置である。
【００３１】
見守りシステムの見守り管理装置１は、ネットワークＮに接続可能なコンピュータに、当該装置として機能させるためのアプリケーションプログラムをインストールすることにより実施することができる。
【００３２】
また、見守り者端末３及び協力者端末８は、例えばブルーツース（Ｂｌｕｅｔｏｏｔｈ）(登録商標）のような近距離無線通信機能を有し、当該装置として機能するアプリケーションプログラムがインストールされたスマートフォン、携帯電話端末、携帯型コンピュータ等により実施することができる。
【００３３】
発信装置５は、例えばＢＬＥ（Ｂｌｕｅｔｏｏｔｈ  Ｌｏｗ  Ｅｎｅｒｇｙ）を利用するアイビーコン（ｉＢｅａｃｏｎ）と呼ばれる小型発信装置で実施することができる。
【００３４】
信号検出装置７は、発信装置５の無線信号に対応して、例えばＢＬＥ（Ｂｌｕｅｔｏｏｔｈ  Ｌｏｗ  Ｅｎｅｒｇｙ）を利用するアイビーコン（ｉＢｅａｃｏｎ）の無線信号を受信する小型受信装置で実施することができる。
【００３５】
次に、見守りシステムの実施例における動作を概説する。
【００３６】
実施例において、サーバ１は、対象者登録情報、見守り者登録情報、信号検出装置登録情報、協力者登録情報、及びレベル定義情報を予め記憶している。
【００３７】
対象者登録情報は、各見守り対象者に関する情報であり、見守り対象者の識別情報（ｂＩＤ）、見守り対象者に対応する見守り者の情報（識別情報（ｇＩＤ）、連絡先）、見守り対象者の個人情報（名前、性別、外観的特徴など）を含む。
【００３８】
見守り者登録情報は、各見守り者について登録された情報であり、見守り者の識別情報（ｇＩＤ）、連絡先、見守り者端末の設置場所などを含む。
【００３９】
信号検出装置登録情報は、各信号検出装置に関する情報であり、信号検出装置の識別情報（ａＩＤ）、管理者の情報（会社名、住所、担当者連絡先など）、装置の設置場所などを含む。
【００４０】
協力者登録情報は、各協力者に関する情報であり、協力者への連絡先、協力者が携帯する協力者端末８へのアクセス情報などを含む。
【００４１】
レベル定義情報は、対象者登録情報について公開の範囲を定義する情報であり、複数の区分（レベル）で公開する情報の範囲を定義する。例えば、公開の範囲として４つのレベル（Ｌ１〜Ｌ４）が設定され、以下のように範囲が定められる。
【００４２】
レベルＬ１：見守り対象者の名前（ニックネーム）、
レベルＬ２：見守り対象者の性別、身長などの外観的特徴についての情報、
レベルＬ３：見守り対象者の顔写真の情報、
レベルＬ４：見守り対象者の持病や服用薬に関する情報。
【００４３】
さらに、レベル定義情報は、設定したレベルに、情報公開の対象者を制約する定義を設けることができる。例えば、レベルがＬ３、Ｌ４に制約が設定されると、見守り者が選択した許諾レベルがＬ３又はＬ４であっても、協力者であっても、許諾された範囲までの情報が公開されない場合がある。
【００４４】
一例として、単に探索が依頼された協力者端末８に対しては、レベルＬ３又はＬ４より狭い範囲（制約のないＬ２の範囲）の情報が公開され、見守り対象者の識別情報を受信してサーバ１へ通知した協力者端末８に対してのみ、許諾されたＬ３又はＬ４の範囲の情報が公開される。
【００４５】
別の例として、協力者情報に、探索対象者の保護に関する知識や経験による区分（保護レベル）が設定されている場合に、協力者の保護レベルに応じて、その協力者端末８に対して、許諾された範囲より狭い範囲の情報が公開される。
［第１の実施例］
（１）  見守り者端末３は、無線信号の受信機能を起動して、各見守り対象者が装着している発信装置５ａ、…、５ｘから発信される識別情報ｂＩＤ（ａ）、…、ｂＩＤ（ｘ）を一定の期間毎に受信する。所定の範囲を外れた見守り対象者がいると、その発信装置５ｘの識別情報ｂＩＤ（ｘ）が受信できず、所定の期間を経過しても未受信であれば、その識別情報ｂＩＤ（ｘ）に係る見守り対象者が不在であると判定し、識別情報ｂＩＤ（ｘ）の見守り対象者の不在を知らせる警報を見守り者端末３の表示画面に表示又は音声で出力する。
【００４６】
これにより、見守り者は、見守り対象者が所定の部屋から不在となったことを発生直後に認知することができる。
【００４７】
（２）  見守り者が探索しても見守り対象者を発見できなかった場合に、見守り者端末３は、見守り者の操作によって入力された探索依頼、及び徘徊発生時の状況や緊急度などが考慮されて、見守り者によって選択した許諾レベル（例えばＬ２）をサーバ１へ送信する。探索依頼には、見守り者端末３で不在と判定されて探索が依頼された識別情報ｂＩＤ（ｘ）が含まれる。
【００４８】
サーバ１は、見守り者端末３から探索依頼及び許諾レベルを受信する。サーバ１は、送信元の見守り者端末３へ、受信した許諾レベルの確認を送信してもよい。
【００４９】
（３）  サーバ１は、見守り者登録情報を参照し、探索依頼を送信した見守り者端末３の位置情報をもとに探索範囲（地域）を特定し、協力者登録情報を参照して探索範囲内の協力者の協力者端末８ａ、８ｂを抽出する。
【００５０】
サーバ１は、協力者の保護に関するスキルを示す保護レベルが協力者登録情報に設定されている場合には、協力者を抽出する際に、探索範囲及び協力者登録情報の保護レベルを組み合わせて抽出してもよい。
【００５１】
これにより、見守り対象者の探索に協力者が参加することができ、見守り対象者の発見の機会を増やすことができる。
【００５２】
（４）  サーバ１は、見守り対象者の対象者登録情報から許諾レベル（Ｌ２）の範囲で情報を抽出して対象者情報を生成する。そして、上記（３）で抽出した各協力者の協力者端末８へ、探索依頼の識別情報ｂＩＤ（ｘ）及び対象者情報を送信する。なお、許諾レベルＬ２に対応する対象者情報は、見守り対象者の性別、身長や体格などの情報であるとする。
【００５３】
各協力者端末８は、発信装置５の無線信号の受信機能を自動的に起動し、上記情報の確認時刻及び自端末の現在位置情報をサーバ１へ送信し、さらに、協力者の操作により、受信した対象者情報を表示画面に表示させる。
【００５４】
これにより、協力者は、表示された対象者情報により、探索依頼に係る見守り対象者を確認しやすくなり、適切な保護に備えることができる。
【００５５】
（５）  その後も、見守り対象者が徘徊を続けているとする。
【００５６】
町中の任意の箇所に設置された信号検出装置７は、所定の範囲内に見守り対象者が位置すると、装着されている発信装置５ｘの無線信号を受信する。そして、受信した無線信号が示す識別情報ｂＩＤ、検出時刻及び自装置の識別情報ａＩＤを含む信号検出通知をサーバ１へ送信する。
【００５７】
サーバ１は、信号検出装置７から受信した識別情報ｂＩＤが探索依頼に係るものであるかを判定する。探索依頼に係る識別情報ｂＩＤ（ｘ）であれば、信号検出装置登録情報を参照して、送信元の信号検出装置７の位置情報から探索範囲を追加的に設定し、上記（３）と同様の処理で、協力者端末８を特定する。
【００５８】
これにより、徘徊の状況に対応して探索範囲を拡大又は変更することができる。
【００５９】
（６）  その後、協力者端末８ａが、探索依頼に係る識別情報ｂＩＤ（ｘ）の無線信号を受信したとする。協力者端末８ａは、受信した識別情報ｂＩＤ（ｘ）、信号の検出時刻及び自端末の現在位置情報を含む検出情報を自動的にサーバ１へ送信する。サーバ１は、協力者端末８ａから受信した信号の検出時刻及び位置情報を、見守り者登録情報に登録されている見守り者の連絡先へ送信する。
【００６０】
これにより、見守り者は、見守り対象者の識別情報を受信した協力者の現在位置を直ちに知ることができ、見守り対象者の保護へ向かうことができる。
【００６１】
（７）  協力者が見守り対象者を保護した場合に、協力者端末８ａは、協力者の操作により入力された保護通知と、保護した見守り対象者の識別情報ｂＩＤ（ｘ）、保護時刻（保護通知の入力時刻）及び自端末の現在位置情報をサーバ１へ送信する。
【００６２】
サーバ１は、保護通知、保護時刻及び保護した協力者端末８の現在位置情報を、見守り者の連絡先に送信する。さらに、探索依頼に係る識別情報ｂＩＤ（ｘ）を送信した他の協力者端末８へ探索依頼解除を送信する。探索依頼解除を受信した協力者端末８は、自端末に保持している識別情報ｂＩＤ（ｘ）及び対象者情報を自動的に削除する。
［第２の実施例］
第２の実施例の処理は、上記の第１の実施例の処理とほぼ同様であるが、上記（４）、（６）の代わりに、以下の処理が行われる。
【００６３】
（４’）  サーバ１が記憶するレベル定義情報のＬ３以上のレベルに、見守り対象者の識別情報ｂＩＤの検出者という制約が設定されているとする。
【００６４】
見守り者によって選択された許諾レベルがＬ３又はＬ４である場合に、サーバ１は、選択された許諾レベルの制約設定により、見守り対象者の対象者登録情報から制約のないレベルＬ２の範囲内の情報を抽出して小範囲対象者情報を生成し、抽出した協力者端末８へ小範囲対象者情報を送信する。
【００６５】
したがって、探索範囲から抽出された各協力者端末８では、公開が許諾された範囲の対象者情報より少ない情報が表示される。
【００６６】
（６’）  サーバ１は、協力者端末８ａから、探索依頼に係る識別情報ｂＩＤ（ｘ）を受信した後に、送信元の協力者端末８ａへ、許諾された範囲で抽出した対象者情報を送信する。協力者端末８ａは、サーバ１から受信した対象者情報を表示させる。
【００６７】
したがって、協力者は、協力者端末８ａに表示される許諾された範囲の対象者情報を見て、適切な保護を行うことができる。
【００６８】
第２の実施例では、第１の実施例と異なり、協力者に対して、公開が許諾されている範囲より狭い範囲の個人情報を公開するので、個人情報の保護をより高めることができる。
［第３の実施例］
第３の実施例の処理は、上記の第１の実施例の処理とほぼ同様であるが、上記（４）、（６）の代わりに、以下の処理が行われる。
【００６９】
（４”）  サーバ１は、抽出した各協力者の協力者端末８へ、探索依頼に係る識別情報ｂＩＤ（ｘ）のみを送信する。
【００７０】
探索範囲から抽出された各協力者端末８は、発信装置５の無線信号の受信機能を自動的に起動し、探索依頼の受信時による確認時刻、自端末の現在位置情報を含む確認通知をサーバ１へ自動的に送信する。したがって、協力者端末８が実行するこれらの動作を、協力者が認識している必要はない。
【００７１】
（６”）  サーバ１は、協力者端末８ａから、探索依頼に係る識別情報ｂＩＤ（ｘ）の検出情報を受信した後に、検出情報を送信した協力者端末８ａへ、許諾された範囲で抽出した対象者情報を送信する。協力者端末８ａは、サーバ１から対象者情報を受信すると、自動的に受信した旨を通知して対象者情報を表示させる。
【００７２】
したがって、協力者は、協力者端末８ａの表示から、探索依頼されている見守り対象者が自分の周辺にいることを認識し、対象者情報により、直ぐに適切な保護を行うことができる。
【００７３】
第３の実施例では、公開が許諾されている個人情報の拡散を最小限にすることができる。さらに、個人情報の拡散の心配が少ないので、探索範囲から協力者を抽出する要件を緩くして、協力者数を増やすことが可能となり、探索依頼に係る見守り対象者の信号検出の確率を高めることができる。
【００７４】
なお、第１〜第３の実施例に共通する上記（５）において、状況の遷移によっては、サーバ１が、見守り者に対して許諾レベルを再設定するように通知してもよい。
【００７５】
以上のように、サーバ１が、見守り対象者の個人情報を、見守り者が許諾した範囲内で協力者端末８へ送信することにより、協力者は、見守り対象者を発見しやすくなるだけでなく、見守り対象者を不安がらせることなく適切に保護することができる。
【００７６】
図２及び図３は、見守りシステムを構成する各装置の処理ブロック構成例を示す図である。
【００７７】
図２（Ａ）は、見守り管理装置（サーバ）１の処理ブロック構成例を示す。サーバ１は、探索依頼／解除受信部１０、探索範囲特定部１１、協力者抽出部１２、通知受信部１３、許諾レベル取得部１４、対象者情報取得部１５、対象者情報送信部１６、協力者端末位置情報取得部１７、探索依頼解除送信部１８、及びデータ記憶部１９を備える。
【００７８】
探索依頼／解除受信部１０は、見守り者端末３から、見守り対象者の探索依頼又は依頼した見守り対象者の発見による探索依頼解除を受信する処理手段である。探索依頼は、探索が依頼された見守り対象者の識別情報ｂＩＤ、不在を判定した判定時刻及び見守り者端末３の識別情報ｇＩＤを含む。探索依頼解除は、解除する探索依頼に係る識別情報ｂＩＤを含む。
【００７９】
探索範囲特定部１１は、データ記憶部１９の見守り者登録情報を参照し、探索依頼に係る見守り者端末３の識別情報ｇＩＤが一致する情報の位置情報をもとに探索範囲を設定する処理手段である。見守り者登録情報の位置情報は、見守り者端末３の設置場所に相等し、例えば郵便番号及び住所で示される。この位置情報に対応する範囲（例えば、○○市□□町○丁目）又は含むより広い範囲（例えば、○○市□□町）が探索範囲として設定される。
【００８０】
また、探索範囲特定部１１は、信号検出装置７から信号検出通知を受信した場合にも、データ記憶部１９の信号検出装置登録情報を参照し、信号検出装置７の識別情報ａＩＤが一致する情報の位置情報をもとに上記と同様にして探索範囲を追加的に設定又は既設定の探索範囲の変更を行う。
【００８１】
協力者抽出部１２は、データ記憶部１９の協力者登録情報を探索範囲の住所情報で検索し、住所情報（郵便番号又は住所）が探索範囲に含まれる協力者を抽出する処理手段である。協力者登録情報に保護レベルが設定されている場合には、協力者抽出部１２は、探索範囲の住所情報及び保護レベルに基づいて協力者を抽出してもよい。
【００８２】
通知受信部１３は、信号検出装置７又は協力者端末８からの通知を受信する処理手段である。受信する通知は、探索依頼の確認通知、信号検出通知、検出情報、保護通知などである。
【００８３】
許諾レベル取得部１４は、レベル定義情報のレベルから見守り者により選択された許諾レベルを見守り者端末３から取得する処理手段である。
【００８４】
対象者情報取得部１５は、データ記憶部１９の対象者登録情報を参照して、探索依頼に係る識別情報ｂＩＤに合致する情報のうち許諾レベルで定められた範囲までの情報を抽出して対象者情報を生成する処理手段である。対象者情報取得部１５は、レベル定義情報のレベルに制約が設定されている場合には、許諾レベルの範囲より狭い範囲までの情報を抽出して小範囲対象者情報を生成する。
【００８５】
対象者情報送信部１６は、協力者登録情報を参照して、探索範囲から抽出された各協力者の協力者端末８へ、探索依頼に係る識別情報ｂＩＤ、識別情報ｂＩＤ及び対象者情報、もしくは、識別情報ｂＩＤ及び小範囲対象者情報のいずれかを送信し、さらに、探索依頼に係る識別情報ｂＩＤを受信した協力者端末８へ対象者情報を送信する処理手段である。
【００８６】
協力者端末位置情報取得部１７は、探索依頼を受信した協力者端末８から、協力者端末８の現在位置情報を取得する処理手段である。
【００８７】
探索依頼解除送信部１８は、協力者端末８から保護通知を又は見守り者端末３から探索依頼解除を受信した場合に、探索依頼に係る識別情報ｂＩＤを送信した各協力者端末８に、その識別情報ｂＩＤを含む探索依頼解除を送信する処理手段である。
【００８８】
データ記憶部１９は、対象者登録情報、見守り者登録情報、信号検出装置登録情報、協力者登録情報、レベル定義情報を記憶する記憶手段である。
【００８９】
図２（Ｂ）は、見守り者端末３の処理ブロック構成例を示す。見守り者端末３は、信号検出部３１、不在判定部３３、警報出力部３５、探索依頼／解除通知部３７、及び許諾レベル通知部３９を備える。
【００９０】
信号検出部３１は、所定の範囲内にいる、見守り対象者に装着された発信装置５から発信される無線信号を受信する処理手段である。
【００９１】
不在判定部３３は、見守り者端末３に予め設定された見守り対象者の識別情報ｂＩＤを参照して、所定の期間（数分間）を経過しても受信しない識別情報ｂＩＤがあるかを検出し、未受信の無線信号（識別情報ｂＩＤ）に紐付けられた見守り対象者が不在であると判定する処理手段である。
【００９２】
警報出力部３５は、不在と判定された識別情報ｂＩＤを含む警報を見守り者端末３の表示画面に表示し、アラーム又は音声を出力する処理手段である。
【００９３】
探索依頼／解除通知部３７は、見守り者により入力された探索依頼又は探索依頼解除をサーバ１へ送信する処理手段である。
【００９４】
許諾レベル通知部３９は、レベル定義情報で定義されたレベルから見守り者により選択された許諾レベルをサーバ１へ送信する処理手段である。
【００９５】
図３（Ａ）は、発信装置５のブロック構成例を示す。発信装置５は、信号発信部５１を備える。
【００９６】
信号発信部５１は、装着する見守り対象者に紐付けられている識別情報ｂＩＤを示す無線信号を発信する処理手段である。識別情報ｂＩＤは、ＵＵＩＤ（Ｕｎｉｖｅｒｓａｌｌｙ  Ｕｎｉｑｕｅ  Ｉｄｅｎｔｉｆｉｅｒ）を使用することが好適であるが、少なくとも見守りシステム内で見守り対象者を一意に特定できる値であればよい。
【００９７】
図３（Ｂ）は、信号検出装置７の処理ブロック構成例を示す。信号検出装置７は、信号検出部７１及び検出通知送信部７３を備える。
【００９８】
信号検出部７１は、所定の範囲内に位置する発信装置５が発信する無線信号を受信する処理手段である。
【００９９】
検出通知送信部７３は、発信装置５から受信した無線信号が示す識別情報ｂＩＤ、信号受信を検出した検出時刻及び自装置の識別情報ａＩＤを含む信号検出通知をサーバ１へ送信する。
【０１００】
図３（Ｃ）は、協力者端末８の処理ブロック構成例を示す。協力者端末８は、対象者情報受信部８１、端末位置情報送信部８２、信号検出部８３、検出情報送信部８４、保護通知部８５及び探索依頼解除受信部８６を備える。
【０１０１】
対象者情報受信部８１は、サーバ１から、探索依頼に係る識別情報ｂＩＤ及び対象者情報（小範囲対象者情報）を受信する処理手段である。
【０１０２】
端末位置情報送信部８２は、サーバ１から探索依頼を受信した場合に、探索依頼の確認時刻及び自端末の現在位置情報をサーバ１へ送信する処理手段である。
【０１０３】
信号検出部８３は、発信装置５の無線信号を受信し、受信した無線信号が示す識別情報ｂＩＤが探索依頼されている識別情報であるかを検出する処理手段である。
【０１０４】
検出情報送信部８４は、受信した無線信号が示す識別情報ｂＩＤ、検出時刻及び自端末の現在位置情報を含む検出情報をサーバ１へ送信する処理手段である。
【０１０５】
保護通知部８５は、探索が依頼されている見守り対象者を保護した場合に、保護している旨を示す保護通知及び保護した見守り対象者の識別情報ｂＩＤをサーバ１へ送信する処理手段である。
【０１０６】
探索依頼解除受信部８６は、サーバ１から探索依頼解除を受信し、自端末で保持する探索依頼に係る識別情報ｂＩＤ及び見守り対象者の一切の情報を自動的に削除する処理手段である。
【０１０７】
図４及び図５は、見守りシステムで用いる情報のデータ例を示す図である。
【０１０８】
図４（Ａ）〜（Ｅ）に示す情報は、データ記憶部１９に記憶される情報である。
【０１０９】
図４（Ａ）は、対象者登録情報のデータ構造例を示す。対象者登録情報は、見守り対象者毎の、識別情報ｂＩＤ、１又は複数の見守り者の情報、及び見守り対象者の個人情報を含む。
【０１１０】
識別情報ｂＩＤは、見守り対象者が装着する発信装置５に設定される識別情報である。
【０１１１】
見守り者の情報は、担当する見守り者の識別情報ｇＩＤ、連絡先（メールアドレス、電話番号）などである。識別情報ｇＩＤは、見守り者をシステム内で一意に特定する情報であり、見守り者登録情報の識別情報ｇＩＤが設定される。連絡先は、１つの見守り者について複数設定されてもよい。なお、見守り者は、見守り対象者を日常的に見守る者を含み、見守り対象者の親族なども含まれる。
【０１１２】
見守り対象者の個人情報の名前は、本名の他本人が認識しているニックネームでもよい。外観的特徴は、身長、体重、眼鏡の着用、杖や鞄等の常用する携帯物などを示す情報であり、顔写真は、見守り対象者の顔のイメージデータである。注意事項は、見守り対象者の保護時に注意するべき事項、例えば、持病、服薬についての情報である。
【０１１３】
図４（Ｂ）は、見守り者登録情報のデータ構造例を示す。見守り者登録情報は、見守り者毎の、識別情報ｇＩＤ、見守り者に関する情報（名前、郵便番号、住所、連絡先（メールアドレス／電話番号）、及び端末アクセス情報の情報を含む。見守り者の情報の郵便番号及び住所は、見守り者端末３の設置場所に相当する。端末アクセス情報は、見守り管理装置１が見守り者端末３と通信するための情報であり、例えばメールアドレスである。
【０１１４】
図４（Ｃ）は、信号検出装置登録情報のデータ構造例を示す。信号検出装置登録情報は、信号検出装置毎の、識別情報ａＩＤ、信号検出装置の管理者の情報及び設置場所（郵便番号）を含む。
【０１１５】
識別情報ａＩＤは、信号検出装置７をシステム内で一意に特定する情報である。管理者の情報は、管理会社名、郵便番号、住所、担当者名、連絡先（メールアドレス／電話番号）、担当者連絡先（メールアドレス／電話番号）である。設定場所（郵便番号）は、信号検出装置７の実際の設置場所を示し、郵便番号以外の情報であってもよい。
【０１１６】
図４（Ｄ）は、協力者登録情報のデータ構造例を示す。協力者登録情報は、協力者毎の、名前、郵便番号、住所、連絡先（メールアドレス／電話番号）、端末アクセス情報、保護レベルを含む。
【０１１７】
協力者の住所情報（郵便番号、住所）及び連絡先（メールアドレス／電話番号）は、１協力者に複数が設定されていてもよい。保護レベルは、協力者の見守り対象者の保護に関する熟練度のレベルを示す情報であり、予め設定されている複数の区分、例えば、介護専門家（１）、認知症サポータ（２）、一般者（３）のような区分の１つが登録される。
【０１１８】
端末アクセス情報は、見守り管理装置１が協力者端末８と通信するための情報であり、例えばメールアドレスである。
【０１１９】
図４（Ｅ）は、レベル定義情報のデータ構造例を示す。レベル定義情報は、対象者登録情報の公開の範囲を定義する情報であり、レベル毎に、対象者登録情報の開示するデータ項目が設定される。例えば、レベルＬ１は対象者登録情報の「名前」、レベルＬ２は「性別、外観的特徴、その他特徴」、レベルＬ３は「顔写真」、レベルＬ４は「注意事項」が範囲として設定されている。したがって、許諾レベルがＬ１であれば、名前のみが公開され、レベル２であれば、名前、性別、外観的特徴、その他特徴が公開される。
【０１２０】
図５（Ａ）は、発信装置５が記憶するデータ例である。
【０１２１】
発信装置５には、装置を装着する見守り対象者の識別情報ｂＩＤが記憶されている。
【０１２２】
図５（Ｂ）は、見守り者端末３が記憶するデータ例である。
【０１２３】
見守り者端末３には、自装置の識別情報ｇＩＤ、見守りの対象である１又は複数の見守り対象者毎に紐付けられた識別情報ｂＩＤ、及び通知先の情報が記憶されている。通知先は、データ送信先の見守り管理装置（サーバ）１へのアクセス情報である。
【０１２４】
図５（Ｃ）は、信号検出装置７が記憶するデータ例である。
【０１２５】
信号検出装置７には、識別情報ａＩＤ及び通知先の情報が記憶されている。通知先は、データ送信先の見守り管理装置（サーバ）１へのアクセス情報である。
【０１２６】
図６は、見守り者端末３における処理フローを示す図である。
【０１２７】
信号検出部３１は、発信装置５からの信号を受信する（ステップＳ１）。不在判定部３３は、見守り者端末３が保持する見守り対象者の識別情報ｂＩＤをもとに、所定の時間が経過しても未受信である信号（識別情報ｂＩＤ）があるかを検出し（ステップＳ２）、未受信の信号がなければ（ステップＳ２のＮＯ）、ステップＳ１の処理へ戻り、未受信の信号があれば（ステップＳ２のＹＥＳ）、その信号が示す識別情報ｂＩＤに紐付けられた見守り対象者を不在と判定し、不在判定時刻を取得する（ステップＳ３）。警報出力部３５は、不在と判定した識別情報ｂＩＤを含む警報を生成して、見守り者端末３に表示又はアラームによる出力をする（ステップＳ４）。
【０１２８】
探索依頼／解除通知部３７は、見守り者の操作によって探索依頼が入力されたかを判定し（ステップＳ５）、探索依頼が入力されなければ（ステップＳ５のＮＯ）、見守り再開としてステップＳ１の処理へ戻り、探索依頼が入力されたら（ステップＳ５のＹＥＳ）、ステップＳ６の処理へ進む。
【０１２９】
許諾レベル通知部３９は、見守り者の操作によって許諾レベルが選択されたかを判定し（ステップＳ６）、選択の操作があるまで待機して（ステップＳ６のＮＯ）、許諾レベルが選択されたら（ステップＳ６のＹＥＳ）、ステップＳ７の処理へ進む。
【０１３０】
探索依頼／解除通知部３７は、探索を依頼する見守り対象者の識別情報ｂＩＤ、不在判定時刻及び自端末の識別情報ｇＩＤを含む探索依頼を生成し、探索依頼及び許諾レベルをサーバ１へ送信する（ステップＳ７）。
【０１３１】
その後、見守り者が見守り対象者を発見するなどして、見守り者の操作によって探索依頼解除が入力されたかを判断し（ステップＳ８）、探索依頼解除が入力されるまで待機し（ステップＳ８のＮＯ）、探索依頼解除が入力されたら（ステップＳ８のＹＥＳ）、探索の依頼を取りやめる識別情報ｂＩＤを含む探索依頼解除をサーバ１へ送信して（ステップＳ９）、処理を終了する。
【０１３２】
図７は、見守り管理装置１における探索依頼受信時の処理フローを示す図である。
【０１３３】
探索依頼／解除受信部１０は、見守り者端末３から探索依頼を受信する（ステップＳ２１）。探索範囲特定部１１は、探索依頼に含まれている識別情報ｇＩＤで見守り者登録情報を検索し、該当する見守り者登録情報の「郵便番号」をもとに探索範囲を特定する（ステップＳ２２）。協力者抽出部１２は、協力者登録情報から「郵便番号」が探索範囲内に含まれる協力者（協力者登録情報）を抽出する（ステップＳ２３）。
【０１３４】
対象者情報取得部１５は、識別情報ｂＩＤの対象者登録情報から許諾レベルの範囲までの個人情報を抽出して対象者情報を生成する（ステップＳ２４）。ここで、第１の実施例の場合には、対象者登録情報から見守り者が通知した許諾レベルの範囲までの情報が抽出されて対象者情報が生成され、第２の実施例の場合には、許諾レベルの範囲より狭い範囲までの情報が抽出されて小範囲対象者情報が生成され、第３の実施例の場合には、個人情報の抽出は行われない。
【０１３５】
対象者情報送信部１６は、抽出した各協力者の協力者登録情報の「端末アクセス情報」宛に、探索依頼に係る識別情報ｂＩＤ及び対象者情報を送信して（ステップＳ２５）、処理を終了する。ここで、協力者端末８に対し、第１の実施例の場合には、識別情報ｂＩＤ及び対象者情報が、第２の実施例の場合には、識別情報ｂＩＤ及び小範囲対象者情報が、第３の実施例の場合には、識別情報ｂＩＤのみが送信される。
【０１３６】
サーバ１では、信号検出装置７が発信装置５の信号を受信して信号検出通知をサーバ１へ送信した場合にも、上記ステップＳ２１〜Ｓ２５とほぼ同様の処理が行われる。すなわち、探索範囲特定部１１は、ステップＳ２１の処理の代わりに、信号検出装置７から信号検出通知に含まれる検出した識別情報ｂＩＤ、検出時刻及び識別情報ａＩＤを受信する。そして、ステップＳ２２の処理の代わりに、信号検出通知の識別情報ｂＩＤが探索依頼に係る識別情報ｂＩＤであれば、信号検出通知の識別情報ａＩＤに一致する信号検出装置登録情報の「郵便番号」をもとに探索範囲を特定する。なお、以降のステップＳ２３〜Ｓ２５については同じ処理であるので説明を省略する。
【０１３７】
図８は、見守り管理装置１における協力者による探索時の処理フローを示す図である。
【０１３８】
通知受信部１３は、協力者端末８からの検出情報の受信を待機し（ステップＳ３１）、検出情報を受信すると（ステップＳ３１のＹＥＳ）、検出情報に含まれる識別情報ｂＩＤ、信号受信を検出した検出時刻及び協力者端末８の現在位置情報を保存し（ステップＳ３２）、探索を依頼している見守り者の見守り者登録情報から見守り者の連絡先を取り出し、受信した検出時刻及び協力者端末８の現在位置情報を送信する（ステップＳ３３）。
【０１３９】
対象者情報送信部１６は、見守り対象者の許諾レベルの範囲までの情報が協力者端末８へ送信済みであるかを判定し（ステップＳ３４）、送信済みでない場合のみ（ステップＳ３４のＮＯ）、検出情報を送信した協力者端末８へ許諾レベルまでの対象者情報（未送信分）を送信して（ステップＳ３５）、処理を終了する。
【０１４０】
ここで、第１の実施例では、ステップＳ２４の処理で対象者情報が送信されるので、ステップＳ３４の処理の判定は「ＹＥＳ」となり、ステップＳ３５の処理はスキップされる。また、第２の実施例では、ステップＳ２４の処理で、許諾レベルより狭い小範囲対象者情報が送信されるので、ステップＳ３４の処理の判定は「ＮＯ」となり、ステップＳ３５の処理において、対象者情報送信部１６が、未送信分の対象者情報を送信する。また、第３の実施例では、ステップＳ２４の処理で、識別情報ｂＩＤのみが送信されるので、ステップＳ３４の処理の判定は「ＮＯ」となり、ステップＳ３５の処理において、対象者情報送信部１６が、対象者情報を送信する。
【０１４１】
図９は、見守り管理装置１における探索解除時の処理フローを示す図である。
【０１４２】
探索依頼／解除受信部１０は、見守り者端末３から探索依頼解除を受信したかを判定し（ステップＳ４１）、探索依頼解除を受信していなければ（ステップＳ４１のＮＯ）、ステップＳ４２の処理へ進み、受信していれば（ステップＳ４１のＹＥＳ）、ステップＳ４４の処理へ進む。
【０１４３】
通知受信部１３は、協力者端末８から保護通知を受信したかを判定し（ステップＳ４２）、保護通知を受信していなければ（ステップＳ４２のＮＯ）、ステップＳ４１の処理へ戻り、受信していれば（ステップＳ４２のＹＥＳ）、ステップＳ４３の処理へ進む。
【０１４４】
通知受信部１３は、探索を依頼している見守り者の連絡先へ、保護通知と共に協力者端末８の現在位置、及び該当する協力者登録情報から取り出した協力者の連絡先を送信する（ステップＳ４３）。
【０１４５】
そして、探索依頼解除送信部１８は、探索依頼に係る識別情報ｂＩＤが送信されている全ての協力者端末８へ探索依頼解除を送信して（ステップＳ４４）、処理を終了する。
【０１４６】
探索依頼解除を受信した協力者端末８は、その端末内に保持されている識別情報ｂＩＤ及び対象者情報を自動的に削除する。
【０１４７】
図１０は、協力者端末８における処理フローを示す図である。
【０１４８】
対象者情報受信部８１が、サーバ１から識別情報ｂＩＤを含む探索依頼を受信すると（ステップＳ５１）、端末位置情報送信部８２は、サーバ１へ、探索依頼の確認時刻、自端末のＧＰＳ機能を利用して得た現在位置情報を含む確認通知を送信する（ステップＳ５２）。対象者情報受信部８１は、サーバ１から受信した対象者情報を協力者端末８の表示画面に表示する（ステップＳ５３）。ここで、第１の実施例では対象者情報が表示され、第２の実施例では小範囲対象者情報が表示される。第３の実施例では、何も表示されず、ステップＳ５３に相当する処理が、ステップＳ５５の処理とＳ５６の処理の間で行われる。
【０１４９】
信号検出部８３が、発信装置５からの信号の受信を開始し、探索依頼に係る識別情報ｂＩＤを示す信号を受信したかを判定する（ステップＳ５４）。該当する信号の受信を待機して（ステップＳ５４のＮＯ）、該当する信号を受信したら（ステップＳ５４のＹＥＳ）、検出情報送信部８４は、サーバ１へ、検出した識別情報ｂＩＤ、検出時刻、自端末の現在位置情報を含む信号検出通知を送信する（ステップＳ５５）。第３の実施例では、信号検出通知の送信後に、サーバ１から協力者端末８へ対象者情報が送信され、協力者端末８に受信した対象者情報が表示される。
【０１５０】
見守り対象者を保護した後、協力者の操作によって保護通知が入力されたかを判定し（ステップＳ５６）、保護通知が入力されたら（ステップＳ５６のＹＥＳ）、保護通知部８５は、サーバ１へ、保護通知と、保護した見守り対象者の識別情報ｂＩＤ、現在時刻、自端末の現在位置情報を送信して（ステップＳ５７）、処理を終了する。
【０１５１】
図１１は、見守りシステムを構成する各装置のハードウェア構成例を示す図である。
【０１５２】
見守りシステムを構成する見守り管理装置（サーバ）１、見守り者端末３、協力者端末８は、それぞれ、プロセッサ（ＣＰＵ）１０１、メモリ１０２、ストレージ１０３、表示装置１０４、入力装置１０５及び通信インタフェース１０６を備え、これらの各装置がバス１０７で接続されたコンピュータ１００で実施することができる。
【０１５３】
プロセッサ１０１は、コンピュータ１００の全体を制御し、メモリ１０２やストレージ１０３と協働しつつ、ストレージ１０３に格納されたプログラムを実行する。メモリ１０２は、ＲＡＭ（Ｒａｎｄｏｍ  Ａｃｃｅｓｓ  Ｍｅｍｏｒｙ）等の記憶装置であり、プロセッサ１０１で実行されるプログラムがロードされるとともに、プロセッサ１０１の処理に用いるデータが格納されるメインメモリである。
【０１５４】
メモリ１０２は、プログラムの実行やデータ更新などの処理において、外部記憶装置や可搬型のデータ記録媒体に記憶されているプログラムやデータを一時的に格納するＲＡＭ（Ｒａｎｄｏｍ  Ａｃｃｅｓｓ  Ｍｅｍｏｒｙ）などである。
【０１５５】
ストレージ１０３は、ＨＤＤ（Ｈａｒｄ  Ｄｉｓｋ  Ｄｒｉｖｅ）やフラッシュメモリ等の記憶装置であり、プログラムや各種データが格納される。
【０１５６】
表示装置１０４は、ディスプレイ等であり、コンピュータ１００による処理結果を出力する。入力装置１０５は、タッチパネル、キーボード、マウス等であり、利用者の操作によるデータ又は動作命令を受け付ける。通信インタフェース１０６は、他のコンピュータとのデータ通信のインタフェースである。
【０１５７】
上述の実施例において説明した見守り管理装置１が備えるデータ記憶部１９は、メモリ１０２、ストレージ１０３のいずれかである。
【０１５８】
見守り管理装置１、見守り者端末３、協力者端末８がそれぞれ備える各処理部は、コンピュータ１００が実行可能なプログラムによっても実施することができる。この場合に、上記の各処理部が実行する処理内容を記述したプログラムが提供され、提供されたプログラムをコンピュータ１００が実行することによって、その動作及び機能がコンピュータ１００上で実現される。
【０１５９】
プロセッサ１０１が実行するプログラムや、アクセス対象となるデータは、コンピュータ１００と通信可能な他の装置に格納されていてもよい。例えば、見守り管理装置１のデータ記憶部１９に記憶されるデータは、見守り管理装置１と異なる他の記憶装置又はコンピュータに含まれる記憶部に格納されていてもよい。この場合に、見守り管理装置１と他の装置とが通信可能にネットワーク接続され、見守り管理装置１がネットワークを介して他の装置の記憶部にアクセスすることとなる。
【０１６０】
以上説明してきたように、徘徊癖のある高齢者は、常時見守り、徘徊が発生したら可能な限り早く発見して保護する必要がある。本発明によれば、屋内においても見守り対象者が所定の場所にいるかどうかを見守ることができ、見守り者は、見守り対象者が所定の場所を外れたことを警報により直ちに知ることができる。
【０１６１】
さらに、高齢者が、建物から外部へ出てしまった場合には、予め登録されている協力者に見守り対象者の探索を依頼することで、見守り対象者の発見の機会を増やすことができ、見守り対象者を早期に保護することができる。
【０１６２】
また、見守り対象者を知らない協力者に探索を依頼する場合には、見守り対象者本人の特定のためにある程度の個人情報を公開する必要がある。その一方で、不必要な範囲まで公開されないように個人情報の保護にも配慮する必要がある。本発明によれば、見守り対象者の個人情報を見守り者が許諾した範囲内で公開して探索に活用させることができ、個人情報を活用した確実な探索を実現すると共に個人情報の保護を図ることができる。
【０１６３】
上記の実施例では、本発明を、徘徊癖のある高齢者の見守りと徘徊発生時の探索を支援する見守りシステムに適用した場合について説明してきたが、本発明は、これに限定されるものではなく、その記述の主旨の範囲において種々の変形が可能であることは当然である。
【０１６４】
本発明は、探索対象（例えば人物、物など）を知らない第三者を協力者として探索などの行動に参加してもらい、許諾されている範囲内で探索対象に関する個人情報を公開して使用するシステムに有用である。上記の徘徊癖のある高齢者の探索だけでなく、迷い犬や猫の探索、自転車やバイクなどの放置・盗難の防止の管理、災害時の位置確認、同じ趣味や嗜好の仲間の探索などにも好適である。
【符号の説明】
【０１６５】
１  見守り管理装置（サーバ）
１０  探索依頼／解除受信部
１１  探索範囲特定部
１２  協力者抽出部
１３  通知受信部
１４  許諾レベル取得部
１５  対象者情報取得部
１６  対象者情報送信部
１７  協力者端末位置情報取得部
１８  探索依頼解除送信部
１９  データ記憶部
３  見守り者端末
３１  信号検出部
３３  不在判定部
３５  警報出力部
３７  探索依頼／解除通知部
３９  許諾レベル通知部
５  発信装置
５１  信号発信部
７  信号検出装置
７１  信号検出部
７３  検出通知部
８  協力者端末
８１  対象者情報受信部
８２  端末位置情報送信部
８３  信号検出部
８４  検出情報送信部
８５  保護通知部
８６  探索依頼解除受信部
Ｎ  ネットワーク
【図１】
0006414730.tif 000002
【図２】
0006414730.tif 000003
【図３】
0006414730.tif 000004
【図４】
0006414730.tif 000005
【図５】
0006414730.tif 000006
【図６】
0006414730.tif 000007
【図７】
0006414730.tif 000008
【図８】
0006414730.tif 000009
【図９】
0006414730.tif 000010
【図１０】
0006414730.tif 000011
【図１１】
0006414730.tif 000012